(57)【要約】【課題】経年変化があっても電気光学装置において焼き付きが発生しないようにする。【解決手段】光センサー７１は、表示パネル１００の明るさを検出し、検出した明るさを表す信号Ｓａを出力する。Ａ／Ｄ変換回路５６には、コンデンサーにより信号Ｓａの直流成分がカットされた信号Ｓｂが供給される。走査制御回路５２には、信号Ｓｂをデジタル化した信号が入力される。走査制御回路５２は、信号Ｓｂの波高を測定する前に表示パネル１００の画素に印加するプリチャージの電圧を切り替える。走査制御回路５２は、信号Ｓｂをデジタル化した信号から信号Ｓｂの波高を測定し、測定を終了するとプリチャージの電圧を元に戻す。走査制御回路５２は、測定した信号Ｓｂの波高に基づいて画素が正極性電圧を保持している時の実効電圧と負極性電圧を保持している時の実効電圧を変更する。【選択図】図１
2013064823.tif 000002
【特許請求の範囲】
【請求項１】
複数行の走査線と複数列のデータ線との交差に対応してそれぞれ設けられ、各々は、前記走査線が選択されたときに、前記データ線に供給されたデータ信号の電圧に応じた階調となる画素を備えた電気光学装置であって、
前記複数行の走査線を所定の順番で選択する走査線駆動回路と、
前記画素の階調に応じた電圧であって基準電位を基準として高位である正極性電圧、または前記画素の階調に応じた電圧であって前記基準電位を基準として低位である負極性電圧を前記データ線に供給するデータ線駆動回路と、
前記データ線に前記正極性電圧または前記負極性電圧が供給される前に前記データ線に第１プリチャージ信号を供給し、前記画素の明るさを測定する測定期間においては、前記データ線に前記正極性電圧または前記負極性電圧が供給される前に第２プリチャージ信号を供給するプリチャージ回路と、
前記画素の明るさを検出し、検出した明るさを表す信号を出力する検出回路と、
前記測定期間に前記検出回路から出力された信号に基づいて前記正極性電圧の実効電圧と前記負極性電圧の実効電圧との比を変更する実効電圧変更回路と
を備える電気光学装置。
【請求項２】
前記実効電圧変更回路は、前記検出回路から出力された信号の振幅または波高に基づいて、前記正極性電圧の実効電圧と前記負極性電圧の実効電圧との比を変更すること
を特徴とする請求項１に記載の電気光学装置。
【請求項３】
前記第２プリチャージ信号で画素がプリチャージされた場合、前記検出回路から出力される信号の振幅または波高は、前記第１プリチャージ信号で画素がプリチャージされた場合より大きくなること
を特徴とする請求項２に記載の電気光学装置。
【請求項４】
前記第１プリチャージ信号は、前記正極性電圧が前記データ線に供給される前には前記基準電圧より低い第１電圧となり、前記負極性電圧が前記データ線に供給される前には前記第１電圧より低い第２電圧となり、
前記第２プリチャージ信号は、前記正極性電圧が前記データ線に供給される前には前記基準電圧より高い第３電圧となり、前記負極性電圧が前記データ線に供給される前には前記基準電圧より低い第４電圧となること
を特徴とする請求項１乃至請求項３のいずれかに記載の電気光学装置。
【請求項５】
前記実効電圧変更回路は、前記正極性電圧の印加時間と前記負極性電圧の印加時間を変更することを特徴とする請求項１乃至請求項４のいずれかに記載の電気光学装置。
【請求項６】
前記実効電圧変更回路は、
前記検出回路から出力される信号の振幅または波高が第１閾値以上となると前記負極性電圧の印加時間を前記正極性電圧の印加時間より長くし、前記検出回路から出力される信号の振幅または波高が前記第１閾値より小さい第２閾値以下となると前記正極性電圧の印加時間を前記負極性電圧の印加時間より長くし、
前記検出回路から出力される信号の振幅または波高が前記第１閾値以上となる毎に前記正極性電圧の印加時間と前記負極性電圧の印加時間との差を小さくし、
前記検出回路から出力される信号の振幅または波高が前記第２閾値以下となる毎に前記正極性電圧の印加時間と前記負極性電圧の印加時間との差を小さくすること
を特徴とする請求項５に記載の電気光学装置。
【請求項７】
前記実効電圧変更回路は、前記正極性電圧と前記負極性電圧の電圧比を変更することを特徴とする請求項１乃至請求項４のいずれかに記載の電気光学装置。
【請求項８】
複数行の走査線と複数列のデータ線との交差に対応してそれぞれ設けられ、各々は、前記走査線が選択されたときに、前記データ線に供給されたデータ信号の電圧に応じた階調となる画素を備えた電気光学装置において、
前記複数行の走査線を所定の順番で選択し、
前記画素の階調に応じた電圧であって基準電位を基準として高位である正極性電圧、または前記画素の階調に応じた電圧であって前記基準電位を基準として低位である負極性電圧を前記データ線に供給し、
前記データ線に前記正極性電圧または前記負極性電圧が供給される前に前記データ線に第１プリチャージ信号を供給し、前記画素の明るさを測定する測定期間においては、前記データ線に前記正極性電圧または前記負極性電圧が供給される前に第２プリチャージ信号を供給し、
前記画素の明るさを検出し、検出した明るさを表す信号を出力し、
画素の明るさを表す前記信号に基づいて前記正極性電圧の実効電圧と前記負極性電圧の実効電圧との比を変更すること
を特徴とする電気光学装置の駆動方法。
【請求項９】
請求項１乃至請求項７のいずれかに記載の電気光学装置を有することを特徴とする電子機器。
【発明の詳細な説明】
【技術分野】
【０００１】
本発明は、電気光学装置における表示画像の焼き付きを防止する技術に関する。
【背景技術】
【０００２】
液晶表示装置では、液晶素子を交流駆動するのが一般的である。ただし、交流駆動するだけでは、液晶に直流成分が印加される場合がある。具体的には、液晶表示装置においては、液晶層を挟む画素電極基板と対向電極基板は物理的な構造が異なっており、対向電極から見て高位である正極性電圧が画素電極基板に印加された場合と、対向電極から見て低位である負極性電圧が画素電極基板に印加された場合とで、電極と配向膜との界面や配向膜と液晶層などの界面における抵抗値が異なってしまう。これにより液晶表示装置においては、正極性電圧の印加時と負極性電圧の印加時とで液晶層への実効電圧が等しくても電流量が異なることとなり、電荷の移動量に非対象性が生じる。また、この電流量の非対称性により、液晶内部の電荷に偏りが生じ、電荷の偏りによって内部電界が発生する。この内部電界の影響により、実際に液晶層に印加される電圧は駆動電圧の極性によって非対称となり、液晶層に直流電圧成分が印加される。
【０００３】
液晶層にこの直流電圧成分が印加されるとフリッカーが生じることとなるため、フリッカーを抑えるために対向電極の電圧を調整する技術がある。例えば特許文献１に開示されている調整回路は、液晶素子に正極性電圧を印加した時の輝度と負極性電圧を印加した時の輝度とを光センサーで測定し、正極性電圧を印加した時の輝度と負極性電圧を印加した時の輝度と差に基づいて対向電極の電圧を調整する。
【先行技術文献】
【特許文献】
【０００４】
【特許文献１】特開平８−２８６１６９号公報
【発明の概要】
【発明が解決しようとする課題】
【０００５】
ところで、特許文献１の調整回路でフリッカーが最小となるように調整しても、経年変化によって液晶素子へ直流電圧成分が印加され、焼き付きという問題が発生してしまう。この場合、オペレータが再度調整回路を操作して調整回路に対向電極の電圧調整を行わせることとなり、手間がかかる。
本発明は、上述した事情に鑑みてなされたものであり、その目的の１つは、経年変化があっても電気光学装置において焼き付きが発生しないようにすることにある。
【課題を解決するための手段】
【０００６】
上記目的を達成するために、本発明に係る電気光学装置は、複数行の走査線と複数列のデータ線との交差に対応してそれぞれ設けられ、各々は、前記走査線が選択されたときに、前記データ線に供給されたデータ信号の電圧に応じた階調となる画素を備えた電気光学装置であって、前記複数行の走査線を所定の順番で選択する走査線駆動回路と、前記画素の階調に応じた電圧であって基準電位を基準として高位である正極性電圧、または前記画素の階調に応じた電圧であって前記基準電位を基準として低位である負極性電圧を前記データ線に供給するデータ線駆動回路と、前記データ線に前記正極性電圧または前記負極性電圧が供給される前に前記データ線に第１プリチャージ信号を供給し、前記画素の明るさを測定する測定期間においては、前記データ線に前記正極性電圧または前記負極性電圧が供給される前に第２プリチャージ信号を供給するプリチャージ回路と、前記画素の明るさを検出し、検出した明るさを表す信号を出力する検出回路と、前記測定期間に前記検出回路から出力された信号に基づいて前記正極性電圧の実効電圧と前記負極性電圧の実効電圧との比を変更する実効電圧変更回路とを備える。
【０００７】
本発明によれば、経年変化があっても電気光学装置において焼き付きが発生しないようにすることができる。
また、本発明においては、画素の明るさを測定する測定期間においては、データ線に正極性電圧または負極性電圧が供給される前に第２プリチャージ信号が供給され、正極性の電圧を印加した時と負極性の電圧を印加した時とで実効電圧の差が大きくなり、画素の明るさを表す信号において、ノイズの影響を小さくすることができる。
また、本発明においては、第１プリチャージ信号が供給されている状態において、正極性電圧で保持された実効電圧が高い状態と、正極性電圧で保持された実効電圧が低い状態とで画素の明るさを表す信号の内容が同じであっても、測定期間に第２プリチャージ信号が供給されると、正極性電圧で保持された実効電圧が高い状態と、正極性電圧で保持された実効電圧が低い状態とでは、画素の明るさを表す信号の内容が異なることになる。このため、正極性電圧で保持された実効電圧と負極性電圧で保持された実効電圧とでどちらの実効電圧が大きいのか判断するのが容易となり、実効電圧の差が小さくなるように制御するのが容易となる。
【０００８】
本発明においては、前記実効電圧変更回路は、前記検出回路から出力された信号の振幅または波高に基づいて、前記正極性電圧の実効電圧と前記負極性電圧の実効電圧との比を変更する構成としてもよい。
この構成によれば、画素の明るさを表す信号の振幅または波高に基づいて、正極性電圧の実効電圧と負極性電圧の実効電圧とが変更され、フリッカーの発生を抑えることができる。
【０００９】
また、本発明においては、前記第２プリチャージ信号で画素がプリチャージされた場合、前記検出回路から出力される信号の振幅または波高は、前記第１プリチャージ信号で画素がプリチャージされた場合より大きくなる構成としてもよい。
この構成によれば、測定期間において検出回路から出力される信号の振幅または波高は、測定期間外において検出回路から出力される信号の振幅または波高より大きくなり、振幅または波高を容易に得ることができる。
【００１０】
また、本発明においては、前記第１プリチャージ信号は、前記正極性電圧が前記データ線に供給される前には前記基準電圧より低い第１電圧となり、前記負極性電圧が前記データ線に供給される前には前記第１電圧より低い第２電圧となり、前記第２プリチャージ信号は、前記正極性電圧が前記データ線に供給される前には前記基準電圧より高い第３電圧となり、前記負極性電圧が前記データ線に供給される前には前記基準電圧より低い第４電圧となる構成であってもよい。
この構成によれば、測定期間において検出回路から出力される信号の振幅または波高は、測定期間外において検出回路から出力される信号の振幅または波高より大きくなり、振幅または波高を容易に得ることができる。
【００１１】
また、本発明においては、前記実効電圧変更回路は、前記正極性電圧の印加時間と前記負極性電圧の印加時間を変更する構成としてもよい。
この構成によれば、印加時間の比を変更することにより、正極性電圧の実効電圧と、負極性電圧の実効電圧とが変更され、フリッカーの発生を抑えることができる。
【００１２】
また、本発明においては、前記実効電圧変更回路は、前記検出回路から出力される信号の振幅または波高が第１閾値以上となると前記負極性電圧の印加時間を前記正極性電圧の印加時間より長くし、前記検出回路から出力される信号の振幅または波高が前記第１閾値より小さい第２閾値以下となると前記正極性電圧の印加時間を前記負極性電圧の印加時間より長くし、前記検出回路から出力される信号の振幅または波高が前記第１閾値以上となる毎に前記正極性電圧の印加時間と前記負極性電圧の印加時間との差を小さくし、前記検出回路から出力される信号の振幅または波高が前記第２閾値以下となる毎に前記正極性電圧の印加時間と前記負極性電圧の印加時間との差を小さくする構成としてもよい。
この構成によれば、正極性電圧の印加時間と負極性電圧の印加時間との比が収束し、正極性電圧の実効電圧と、負極性電圧の実効電圧との差が小さくなり、フリッカーの発生を抑えることができる。
【００１３】
また、本発明においては、前記実効電圧変更回路は、前記正極性電圧と前記負極性電圧の電圧比を変更する構成としてもよい。
この構成によれば、正極性電圧と負極性電圧の比を変更することにより、正極性電圧の実効電圧と、負極性電圧の実効電圧とが変更され、フリッカーの発生を抑えることができる。
【００１４】
なお、本発明は、電気光学装置のみならず、電気光学装置の駆動方法としても、当該電気光学装置を有する電子機器としても概念することが可能である。
【図面の簡単な説明】
【００１５】
【図１】電気光学装置１の構成を示したブロック図。
【図２】表示パネル１００の構成を示した図。
【図３】画素１１０の構成を示した図。
【図４】走査線駆動回路１３０の動作を示す図。
【図５】データ信号の波形例を示した図。
【図６】データ信号の波形例を示した図。
【図７】表示領域１００ａにおける画素の書き込みの推移を示す図。
【図８】走査線駆動回路１３０の動作を示す図。
【図９】表示領域１００ａにおける画素の書き込みの推移を示す図。
【図１０】走査線駆動回路１３０の動作を示す図。
【図１１】表示領域１００ａにおける画素の書き込みの推移を示す図。
【図１２】表示パネル１００の特性を示した図。
【図１３】信号Ｓｂの波高を最小にする対向電極の電圧との関係を示した図。
【図１４】実施形態の動作を説明するための図。
【図１５】走査制御回路５２の処理の流れを示したフローチャート。
【図１６】実施形態に係る電気光学装置１を用いたプロジェクターの構成を示す図。
【発明を実施するための形態】
【００１６】
［実施形態］
図１は、本発明の一実施形態に係る電気光学装置１の構成を示したブロック図である。図１に示したように、電気光学装置１は、表示パネル１００、制御回路５０、および検出回路７０に大別される。このうち、表示パネル１００の動作等を制御する制御回路５０は、走査制御回路５２、データ信号生成回路５４、Ａ／Ｄ変換回路５６、第１プリチャージ信号生成回路６１、第２プリチャージ信号生成回路６２、スイッチＳＷ１及びスイッチＳＷ２を含み、例えばＦＰＣ（flexible printed circuit）基板によって表示パネル１００に接続される。なお、第１プリチャージ信号生成回路６１、第２プリチャージ信号生成回路６２及びスイッチＳＷ１でプリチャージ回路６０が構成されている。また、検出回路７０は、光センサー７１とコンデンサー７２を含む。
【００１７】
光センサー７１は、表示パネル１００に設けられた画素の明るさを検出するセンサーである。光センサー７１は、フォトダイオードを有しており、フォトダイオードに光が入射すると、フォトダイオードに流れる電流の変化を電流−電圧変換回路により電圧の変化に変換し、画素の明るさを示すアナログの信号Ｓａをコンデンサー７２とＡ／Ｄ変換回路５６へ出力する。なお、本実施形態においては、光センサー７１から出力される信号Ｓａは、電圧値によって画素の明るさを表しており、検出した明るさに応じて電圧が変化する。
コンデンサー７２は、信号Ｓａの直流成分をカットするものであり、信号Ｓａの交流成分が信号Ｓｂとしてコンデンサー７２からＡ／Ｄ変換回路５６へ供給される。Ａ／Ｄ変換回路５６は、アナログ信号をデジタル信号に変換する回路であり、信号Ｓａをデジタル化した信号と信号Ｓｂをデジタル化した信号を走査制御回路５２へ出力する。
【００１８】
制御回路５０は、外部上位回路（図示省略）から供給される垂直同期信号Ｖｓ、水平同期信号Ｈｓおよびクロック信号Ｃｌｋにしたがって表示パネル１００の各部を制御する。また、制御回路５０は、外部上位回路から供給されるデジタルの画像データＶｄをアナログのデータ信号Ｖｉｄに変換し、データ信号Ｖｉｄを表示パネル１００へ供給する。なお、制御回路５０の詳細については後述する。
【００１９】
図２は、表示パネル１００の構成を示した図である。表示パネル１００は、液晶を用いて画像の表示を行うものであり、表示領域１００ａの周辺に、走査線駆動回路１３０およびデータ線駆動回路１４０が配置された周辺回路内蔵型となっている。
表示領域１００ａは、本実施形態においては４８０行の走査線１１２が横方向（Ｘ方向）に設けられる一方、６４０列のデータ線１１４が図において縦方向（Ｙ方向）に設けられている。そして、これらの走査線１１２とデータ線１１４との交差の各々に対応するように画素１１０がそれぞれ設けられている。なお、本実施形態では、表示領域１００ａにおいて画素１１０が縦４８０行×横６４０列でマトリクス状に配列することになるが、本発明をこの配列に限定する趣旨ではない。
【００２０】
走査線駆動回路１３０は、制御回路５０により制御され、垂直走査期間にわたって走査信号Ｇ１、Ｇ２、Ｇ３、．．．、Ｇ４８０を、それぞれ１、２、３、．．．、４８０行目の走査線１１２に供給するものである。走査線駆動回路１３０は、走査線１１２を予め定められた順番で水平走査期間毎に選択し、選択した走査線１１２へ供給する走査信号を電圧Ｖｄｄに相当するＨレベル（選択電圧）とする。
【００２１】
データ線駆動回路１４０は、サンプリング信号出力回路１４２と、各データ線１１４に対応して設けられるＯＲ回路１４４と、各データ線１１４に対応して設けられるｎチャネル型の薄膜トランジスタ（thin film transistor、以下「ＴＦＴ」と称する）１４６とを備えている。サンプリング信号出力回路１４２は、制御回路５０により制御され、各ＯＲ回路１４４に対応してサンプリング信号Ｓ１、Ｓ２、Ｓ３、．．．、Ｓ６４０を出力するものである。サンプリング信号出力回路１４２は、図５に示したように水平走査期間（Ｈ）のうち、有効表示期間Ｈａの最初に供給されるスタートパルスＤｘを、クロック信号Ｃｌｘのレベルが遷移する毎に順次シフトし、サンプリング信号Ｓ１、Ｓ２、Ｓ３、．．．、Ｓ６４０として出力する。
【００２２】
ＯＲ回路１４４は、プリチャージ期間指定信号Ｎｒｇと前述のサンプリング信号との論理和信号を出力するものである。プリチャージ期間指定信号Ｎｒｇは、図５に示したように水平走査期間（Ｈ）の帰線期間Ｈｂの一部期間でＨレベルとなり、データ線１１４をプリチャージする期間を指定する信号である。
ＴＦＴ１４６は、１〜６４０列のデータ線１１４の各々に設けられ、それぞれサンプリングスイッチとして機能するものであり、そのドレイン電極は、データ線１１４の一端に接続されている。ＴＦＴ１４６のソース電極は、画像信号線１４８に接続される。また、ＴＦＴ１４６のゲート電極には、ＯＲ回路１４４から論理和信号が供給される。例えば、左から数えて２番目のＯＲ回路１４４は、２列目のデータ線１１４に対応するので、このデータ線１１４に対応するＴＦＴ１４６のゲート電極には、サンプリング信号Ｓ２とプリチャージ期間指定信号Ｎｒｇとの論理和信号が供給される。プリチャージ期間指定信号ＮｒｇがＨレベルになるか、または、サンプリング信号Ｓ２がＨレベルになると、ＴＦＴ１４６がソース・ドレイン電極間で導通（オン）状態となるので、データ線１１４は、画像信号線１４８に接続されることになる。
【００２３】
次に、画素１１０について説明する。図３は、画素１１０の構成を示した図であり、ｉ行及びこれに下方向で隣接する（ｉ＋１）行と、ｊ列及びこれに右方向で隣接する（ｊ＋１）列との交差に対応する２×２の計４画素分の構成を示している。なお、ｉ、（ｉ＋１）は、画素１１０が配列する行を一般的に示す場合の記号であって、本実施形態では、それぞれ１以上４８０以下を満たす整数である。また、ｊ、（ｊ＋１）は、画素１１０が配列する列を一般的に示す場合の記号であって、本実施形態では、それぞれ１以上６４０以下を満たす整数である。
この図に示されるように、各画素１１０は、ｎチャネル型のＴＦＴ１１６と液晶容量１２０とを有する。各画素１１０については互いに同一構成なので、ｉ行ｊ列に位置するもので代表して説明する。当該ｉ行ｊ列の画素１１０において、ＴＦＴ１１６のゲート電極はｉ行目の走査線１１２に接続される一方、そのソース電極はｊ列目のデータ線１１４に接続され、そのドレイン電極は液晶容量１２０の一端である画素電極１１８に接続されている。また、液晶容量１２０の他端は、対向電極１０８に接続されている。この対向電極１０８は、全ての画素１１０にわたって共通であって、時間的に一定の電圧ＬＣｃｏｍが印加されている。
【００２４】
なお、この表示パネル１００は、特に図示しないが、素子基板と対向基板との一対の基板が一定の間隙を保って貼り合わせられるとともに、この間隙に液晶が封止された構成となっている。このうち、素子基板には、走査線１１２や、データ線１１４、ＴＦＴ１１６および画素電極１１８が走査線駆動回路１３０やデータ線駆動回路１４０とともに形成される一方、対向基板に対向電極１０８が形成されており、これらの電極形成面が互いに対向するように一定の間隙を保って貼り合わせられている。このため、本実施形態において液晶容量１２０は、画素電極１１８と対向電極１０８とが液晶１０５を挟持することによって構成されることになる。
【００２５】
本実施形態では、液晶容量１２０において保持される電圧の実効値がゼロ（またはゼロ近傍）に近ければ、液晶容量を通過する光の透過率が最大となって白色表示になる一方、保持される電圧の実効値が大きくなるにつれて透過する光量が減少して、ついには透過率が最小の黒色表示になるノーマリーホワイトモードに設定されている。
【００２６】
この構成において、走査線１１２に走査信号を供給し、ＴＦＴ１１６をオン（導通）させるとともに、データ線１１４およびオン状態のＴＦＴ１１６を介して、画素電極１１８に階調（明るさ）に応じた電圧のデータ信号Ｖｉｄを供給すると、走査信号が供給された走査線１１２とデータ信号が供給されたデータ線１１４との交差に対応する液晶容量１２０に、階調に応じた実効電圧を保持させることができる。したがって、液晶容量１２０を透過する光は、画素毎に異ならせることが可能であり、これにより、表示領域１００ａにおいて画像が形成される。なお、形成された画像は、使用者に直視され、または、後述するプロジェクターのように拡大投射されて視認される。いずれにしても、表示パネル１００の画素の明るさが光センサー７１によって検出されることになる。
【００２７】
続いて、制御回路５０について説明する。図１に示したように、制御回路５０においては、垂直同期信号Ｖｓ、水平同期信号Ｈｓおよびクロック信号Ｃｌｋが走査制御回路５２に供給され、画像データＶｄがデータ信号生成回路５４に供給される。
画像データＶｄは、図示省略した外部上位回路から、垂直走査信号Ｖｓ、水平走査信号Ｈｓおよびクロック信号Ｃｌｋに同期して供給される。画像データＶｄは、縦４８０行×横６４０列の画素１１０の階調を例えば８ビットで指定するデジタルデータであり、特に図示しないが、垂直同期信号Ｖｓで規定される垂直走査期間にわたって、１行１列〜１行６４０列、２行１列〜２行６４０列、３行１列〜３行６４０列、．．．、４８０行１列〜４８０行６４０列という画素の順番で供給される。この供給の際に、水平同期信号Ｈｓで規定される水平走査期間において１行分の画像データＶｄが供給され、さらに、クロック信号Ｃｌｋの１周期で１画素分の画像データＶｄが供給される。なお、画像データＶｄは、周期１６．７ミリ秒（周波数６０Ｈｚ）で１フレーム分（表示パネル１００の全画素分）が供給される。
【００２８】
走査制御回路５２は、極性指定信号Ｐｏｌを出力する。極性指定信号Ｐｏｌは、液晶容量１２０に対する電圧の書込極性を指定する信号であり、例えばＨレベルであれば正極性を指定し、Ｌレベルであれば負極性を指定する。ここで、正極性書込とは、階調に応じた電圧を液晶容量１２０に保持させる際に、画素電極１１８が対向電極１０８よりも高位側となる場合をいい、反対に、負極性書込とは、画素電極１１８が対向電極１０８よりも低位側となる場合をいう。
【００２９】
データ信号生成回路５４は、外部上位装置から供給される画像データＶｄを、一旦内部メモリ（図示省略）に記憶した後、表示パネル１００の駆動に同期して読み出すものである。データ信号生成回路５４は、表示パネル１００のある行の走査線を選択するとき、当該行の画像データＶｄを読み出し、読み出した画像データＶｄをアナログの信号に変換してデータ信号Ｖｄａを生成する。
なお、データ信号生成回路５４は、極性指定信号Ｐｏｌによって正極性書込が指定されている場合、データ信号Ｖｄａを、対向電極１０８への印加電圧ＬＣcomよりもやや高位側に設定された基準電圧Ｖｃ（基準電位）に対して高位側の電圧であって、階調に応じた電圧とする。また、データ信号生成回路５４は、極性指定信号Ｐｏｌによって負極性書込が指定されている場合、データ信号Ｖｄａを、基準電圧Ｖcに対して低位側の電圧であって、階調に応じた電圧とする。なお、極性を切り替える理由は、直流成分の印加によって液晶が劣化するのを防止するためである。
【００３０】
また、走査制御回路５２は、プリチャージ期間指定信号Ｎｒｇと選択信号Ｓｅｌを出力する。プリチャージ期間指定信号Ｎｒｇは、前述のとおりデータ線１１４をプリチャージする期間を指定する信号であり、図５に示されるように水平帰線期間Ｈｂの一部期間においてＨレベルとなり、それ以外の期間においてＬレベルとなる。
選択信号Ｓｅｌは、スイッチＳＷ１の接続先を切り替える信号である。選択信号Ｓｅｌによって第１プリチャージ信号生成回路６１とスイッチＳＷ２が接続されると、第１プリチャージ信号生成回路６１から出力される第１プリチャージ信号Ｐ１がスイッチＳＷ２の入力端子Ａに供給される。また、選択信号Ｓｅｌによって第２プリチャージ信号生成回路６２とスイッチＳＷ２が接続されると、第２プリチャージ信号生成回路６２から出力される第２プリチャージ信号Ｐ２がスイッチＳＷ２の入力端子Ａに供給される。
【００３１】
なお、この説明において、水平走査期間（Ｈ）の有効表示期間Ｈａとは、図５に示したように、ある１行の走査線が選択される水平走査期間（Ｈ）において、サンプリング信号Ｓ１〜Ｓ６４０がＨレベルで順番に出力される期間をいい、帰線期間Ｈｂとは、水平走査期間（Ｈ）のうち、有効表示期間Ｈａを除いた期間をいう。
【００３２】
第１プリチャージ信号生成回路６１は、極性指定信号Ｐｏｌで指定された書込極性に応じた電圧の第１プリチャージ信号Ｐ１を出力する。同様に、第２プリチャージ信号生成回路６２は、極性指定信号Ｐｏｌで指定された書込極性に応じた電圧の第２プリチャージ信号Ｐ２を出力する。
【００３３】
ここで、第１プリチャージ信号Ｐ１と第２プリチャージ信号Ｐ２の電圧について図５を参照して説明する。なお、図における電圧の表記について、(＋)は正極性を示し、(−)は負極性を示す。このため、図５において電圧表記部分が同一である電圧同士は、基準電圧Ｖｃを中心にして、互いに対称の関係にある。
【００３４】
第１プリチャージ信号Ｐ１は、正極性書込が指定される垂直走査期間では、図５に示した電圧Ｖｐ１１（第１電圧）となり、負極性書込が指定される垂直走査期間では、電圧Ｖｐ１２（第２電圧）となる。同様に、第２プリチャージ信号Ｐ２は、正極性書込が指定される垂直走査期間では、図５に示した電圧Ｖｐ２１（第３電圧）となり、負極性書込が指定される垂直走査期間では、電圧Ｖｐ２２（第４電圧）となる。
データ信号Ｖｄａの電圧は、正極性書込であればノーマリーホワイトモードにおいて最も暗い状態に相当する電圧Ｖｂ(＋)から最も明るい状態に相当する電圧Ｖｗ(＋)までの範囲で、基準電圧Ｖcから画素の階調に応じた差を有する電圧となり、負極性書込であれば、最も暗い状態に相当する電圧Ｖｂ(−)から最も明るい状態に相当する電圧Ｖｗ(−)までの範囲で、基準電圧Ｖcから画素の階調に応じた差を有する電圧となる。
なお、本実施形態においては基準電圧Ｖｃを７．５Ｖとし、電圧Ｖｐ１１＝３Ｖ、電圧Ｖｐ１２＝２．５Ｖ、電圧Ｖｐ２１＝１０Ｖ、電圧Ｖｐ２２＝５．５Ｖ、としているが、本発明においては、各電圧は、この電圧値に限定されるものではない。
【００３５】
図１に戻り、スイッチＳＷ２は、画像信号線１４８に出力する信号を選択するスイッチである。スイッチＳＷ２の入力端Ａには、第１プリチャージ信号Ｐ１または第２プリチャージ信号Ｐ２が供給される。また、スイッチＳＷ２の入力端Ｂにはデータ信号Ｖｄａが供給される。出力端ａは、表示パネル１００の画像信号線１４８に接続されている。スイッチＳＷ２は、プリチャージ期間指定信号Ｎｒｇに応じて入力端と出力端との接続を切り替える。スイッチＳＷ２は、プリチャージ期間指定信号ＮｒｇがＨレベルである場合、入力端Ａと出力端ａを接続する。またスイッチＳＷ２は、プリチャージ期間指定信号ＮｒｇがＬレベルである場合、入力端Ｂと出力端ａを接続する。スイッチＳＷ２は、出力端ａに供給された信号をデータ信号Ｖｉｄとして出力する。
【００３６】
ここで、説明を再び走査制御回路５２の説明に戻す。走査制御回路５２は、垂直同期信号Ｖｓ、水平同期信号Ｈｓおよびクロック信号Ｃｌｋに同期して、スタートパルスＤｘ、Ｄｙａ，Ｄｙｂおよびクロック信号Ｃｌｘ、Ｃｌｙを出力する。
詳細には、走査制御回路５２は、１行目の画像データＶｄに対応したデータ信号Ｖｄａが供給される水平走査期間に１行目の走査線１１２が選択されるようにスタートパルスＤｙａ，Ｄｙｂおよびクロック信号Ｃｌｙを出力し、２、３、４、．．．、４８０行の画像データＶｄに対応したデータ信号Ｖｄａが供給される水平走査期間にそれぞれ２、３、４、．．．、４８０行目の走査線１１２が選択されるようにクロック信号Ｃｌｙを出力して走査線駆動回路１３０を制御する。
また、走査制御回路５２は、１列目の画素に対応するデータ信号Ｖｄａを出力するときにサンプリング信号Ｓ１をＨレベルとし、以下２列目、３列目、．．．、６４０列目の画素に対応するデータ信号Ｖｄａを出力するときにサンプリング信号Ｓ２、Ｓ３、．．．、Ｓ６４０がＨレベルとなるように、スタートパルスＤｘおよびクロック信号Ｃｌｘを出力してサンプリング信号出力回路１４２を制御する。
【００３７】
図４は、走査線駆動回路１３０により出力される走査信号Ｇ１〜Ｇ４８０を、スタートパルスＤｙａ、Ｄｙｂとクロック信号Ｃｌｙとの関係において示すタイミングチャートである。この図に示したように、１フレームの期間において走査線１１２は、それぞれ２回選択される。ここで、フレームとは、１枚の画像を表示パネル１００に表示させるのに要する期間をいうが、画像データＶｄは、周期１６．７ミリ秒（周波数６０Ｈｚ）で供給されるので、１フレームとは、この周期の１６．７ミリ秒と一致する。
走査制御回路５２は、デューティ比が５０％のクロック信号Ｃｌｙを、１フレームの期間にわたって走査線数に等しい４８０周期分出力する。なお、図４においては、クロック信号Ｃｌｙの１周期の半分の期間をＨと表記している。また、走査制御回路５２は、クロック信号Ｃｌｙの１周期分のパルス幅を有するスタートパルスＤｙａ、Ｄｙｂを、それぞれクロック信号ＣｌｙがＨレベルの立ち上がり時において、それぞれ次のように出力する。すなわち、走査制御回路５２は、スタートパルスＤｙａを１フレームの期間の最初（すなわち第１フィールドの最初）に出力する一方、スタートパルスＤｙｂを、スタートパルスＤｙｂを出力してからクロック信号Ｃｌｙの２４０周期分を出力した（すなわち、１フレームの半分期間が経過した）タイミングＴで出力する。ただし、走査制御回路５２は、後述するように、スタートパルスＤｙｂをタイミングＴに対し、クロック信号Ｃｌｙの周期を単位とした分だけ時間的に前方側または後方側に出力する場合がある。
【００３８】
なお、１フレームの期間のうち、スタートパルスＤｙａが出力されてからスタートパルスＤｙｂが出力されるまでの期間を第１フィールドとし、スタートパルスＤｙｂが出力されてから次のスタートパルスＤｙａが出力されるまでの期間を第２フィールドとしている。ここで、スタートパルスＤｙａ、Ｄｙｂは交互に出力され、このうち、スタートパルスＤｙａは、１フレームの開始タイミング、すなわち１６．７ミリ秒毎に出力される。このため、スタートパルスＤｙａを特定すると、必然的にスタートパルスＤｙｂも特定できるので、図１、図２等においては、特に両者を区別することなく、スタートパルスＤｙとして表記している。
【００３９】
走査線駆動回路１３０は、このようなスタートパルスＤｙａ、Ｄｙｂおよびクロック信号Ｃｌｙから、図４に示される走査信号Ｇ１〜Ｇ４８０を出力する。すなわち、走査線駆動回路１３０は、走査信号Ｇ１〜Ｇ４８０について、スタートパルスＤｙａが供給されると、クロック信号ＣｌｙがＬレベルの期間において順次Ｈレベルとさせる一方、スタートパルスＤｙｂが供給されると、クロック信号ＣｌｙがＨレベルの期間において順次Ｈレベルとさせる。
このため、走査線１１２は、スタートパルスＤｙａの供給によって、あるフレームの第１フィールドから第２フィールドまでにわたって画面下方向にむかって１、２、３、４、・・・、４８０行目の順番で、クロック信号Ｃｌｙの半周期の期間をおいて選択される。一方、走査線１１２は、スタートパルスＤｙｂの供給によって、あるフレームの第２フィールドから次フレームの第１フィールドまでにわたって画面下方向にむかって１、２、３、４、・・・、４８０行目の順番で、スタートパルスＤｙａの供給を契機とする選択の合間にて選択されることになる。なお、走査信号がＨレベルとなる期間は、実際には図４に示されるように、クロック信号Ｃｌｙの半分周期の期間よりも狭められている。
【００４０】
次にスタートパルスＤｙｂの出力タイミングについて説明する。走査制御回路５２は、スタートパルスＤｙｂの出力タイミングを制御する。具体的には、走査制御回路５２は、スタートパルスＤｙｂの出力タイミングを指定するための設定値として、予め定められた第１設定値と第２設定値を記憶している。なお、本実施形態においては、第１設定値は、マイナスの整数の値であり、第２設定値は、プラスの整数の値である。また、走査制御回路５２は、スタートパルスＤｙｂの出力タイミングを指定するための値を格納するレジスターを有している。走査制御回路５２は、レジスターに格納された値に応じてスタートパルスＤｙｂの出力タイミングを変更する。
【００４１】
具体的には、まず走査制御回路５２は、外部上位装置から供給される画像データＶｄを、データ信号生成回路５４の内部メモリに記憶させた後、表示パネル１００においてある行の走査線１１２を選択するとき、当該行の画像データＶｄを記憶速度の倍の速度で読み出すとともに、画像データＶｄの読み出しに合わせて、サンプリング信号Ｓ１〜Ｓ６４０が順番にＨレベルとなるように、サンプリング信号出力回路１４２を制御する。なお、読み出された画像データＶｄは、アナログのデータ信号Ｖｄａに変換される。
【００４２】
ここで、走査制御回路５２は、レジスターに格納されている値が「０」であると、タイミングＴにおいてスタートパルスＤｙｂを供給する。走査制御回路５２がタイミングＴにおいてスタートパルスＤｙｂを供給する場合、第１フィールドにおいては、走査線１１２が２４１、１、２４２、２、２４３、３、・・・、４８０、２４０行目という順番で選択される。
【００４３】
具体的には、まず走査制御回路５２は、水平走査期間（Ｈ）の帰線期間Ｈｂでプリチャージ期間指定信号ＮｒｇをＨレベルにする。これにより、第１プリチャージ信号Ｐ１が画像信号線１４８に供給される。なお、ここでは極性指定信号Ｐｏｌによって負極性が指定され、第１プリチャージ信号Ｐ１の電圧は電圧Ｖｐ１２となる。また、プリチャージ期間指定信号ＮｒｇがＨレベルになると、すべてのＯＲ回路１４４の論理和信号は、サンプリング信号とは無関係にＨレベルとなるので、１〜６４０列のＴＦＴ１４６が全てオンとなり、１〜６４０列のデータ線は電圧Ｖｐ１２にプリチャージされる。このプリチャージの後にプリチャージ期間指定信号ＮｒｇがＬレベルになり、プリチャージ期間指定信号ＮｒｇがＬレベルになった後に帰線期間Ｈｂが終了する。なお、プリチャージ期間指定信号ＮｒｇがＬレベルになるとスイッチＳＷ２によりデータ信号生成回路５４から供給されるデータ信号Ｖｄａがデータ信号Ｖｉｄとして画像信号線１４８に供給される。
【００４４】
次に走査制御回路５２は、２４１行目の走査線１１２が選択されるように、走査線駆動回路１３０を制御する。また、走査制御回路５２は、データ信号生成回路５４に対し、メモリに記憶された２４１行目に相当する画像データＶｄを倍速で読み出させ、負極性のデータ信号Ｖｄａに変換するように極性指定信号Ｐｏｌによって制御するとともに、この読み出しに合わせて、サンプリング信号Ｓ１〜Ｓ６４０がこの順番で排他的にＨレベルとなるようにサンプリング信号出力回路１４２を制御する。サンプリング信号Ｓ１〜Ｓ６４０が順番にＨレベルになると、ＴＦＴ１４６が順番にオンとなり、画像信号線１４８に供給されたデータ信号Ｖｉｄが１〜６４０列目のデータ線１１４に順番にサンプリングされる。
【００４５】
２４１行目の走査線１１２が選択されて走査信号Ｇ２４１がＨレベルになると、２４１行目に位置する画素１１０におけるＴＦＴ１１６がすべてオンとなる。このため、データ線１１４にサンプリングされたデータ信号Ｖｉｄの負極性電圧がそのまま画素電極１１８に印加される。このため、２４１行目であって１、２、３、４、・・・、６３９、６４０列の画素における液晶容量１２０には、２４１行目の画像データＶｄで指定された階調に応じた負極性電圧が書き込まれて、保持されることになる。
【００４６】
次に走査制御回路５２は、水平走査期間の帰線期間Ｈｂでプリチャージ期間指定信号ＮｒｇをＨレベルにする。これにより、第１プリチャージ信号Ｐ１が画像信号線１４８に供給される。なお、ここでは極性指定信号Ｐｏｌによって正極性が指定され、第１プリチャージ信号Ｐ１の電圧は電圧Ｖｐ１１となる。また、プリチャージ期間指定信号ＮｒｇがＨレベルになると、１〜６４０列のＴＦＴ１４６が全てオンとなり、１〜６４０列のデータ線は電圧Ｖｐ１１にプリチャージされる。このプリチャージの後にプリチャージ期間指定信号ＮｒｇがＬレベルになり、プリチャージ期間指定信号ＮｒｇがＬレベルになった後に帰線期間Ｈｂが終了する。
【００４７】
この後、走査制御回路５２は、１行目の走査線１１２が選択されるように、走査線駆動回路１３０を制御する。また、走査制御回路５２は、データ信号生成回路５４に対し、メモリに記憶された１行目に相当する画像データＶｄを倍速で読み出させ、正極性のデータ信号Ｖｄａに変換するように極性指定信号Ｐｏｌによって制御するとともに、この読み出しに合わせて、サンプリング信号Ｓ１〜Ｓ６４０がこの順番で排他的にＨレベルとなるようにサンプリング信号出力回路１４２を制御する。
１行目の走査線１１２が選択されて走査信号Ｇ１がＨレベルになると、１行目に位置する画素１１０におけるＴＦＴ１１６がすべてオンとなる。これにより、データ線１１４にサンプリングされたデータ信号Ｖｉｄの電圧が画素電極１１８に印加される。このため、１行目であって１〜６４０列の画素における液晶容量１２０には、１行目の画像データＶｄで指定された階調に応じた正極性の電圧が書き込まれて、保持されることになる。
【００４８】
以下、第１フィールドにおいては、同様な電圧書込の動作が、２４２、２、２４３、３、・・・、４８０、２４０行目という順番で実行される。これにより、１〜２４０行目の画素に対しては階調に応じた正極性電圧が書き込まれ、２４１〜４８０行目の画素に対しては階調に応じた負極性電圧が書き込まれて、それぞれ保持されることになる。
なお、タイミングＴにおいてスタートパルスＤｙｂが供給される場合であれば、第２フィールドにおいて、走査線１１２が１、２４１、２、２４２、３、２４３、４、２４４、・・・、２４０、４８０行目という順番で選択されるともに、第１フィールドとは書込極性が反転される。このため、１〜２４０行目の画素に対しては階調に応じた負極性電圧が書き込まれ、２４１〜４８０行目の画素に対しては階調に応じた正極性電圧が書き込まれて、それぞれ保持されることになる。また、第２フィールドにおいては、１〜２４０行目の画素は電圧Ｖｐ１２にプリチャージされ、２４１〜４８０行目の画素は電圧Ｖｐ１１にプリチャージされる。
【００４９】
図５は、第１フィールドにおける（ｉ＋２４０）行目の走査線とｉ行目の走査線とが選択される期間におけるデータ信号Ｖｉｄの電圧波形の一例である。また、図６は、第２フィールドにおける（ｉ＋２４０）行目の走査線とｉ行目の走査線とが選択される期間におけるデータ信号Ｖｉｄの電圧波形の一例である。なお、図５および図６においてデータ信号Ｖｉｄの電圧を示す縦スケールは、便宜的に他の信号における縦スケールよりも拡大してある。
この図において、電圧Ｖｂ（＋）、Ｖｂ（−）は、それぞれ最低階調の黒色に相当する正極性、負極性電圧であり、基準電圧Ｖｃを中心に対称の関係にある。基準電圧Ｖｃは、データ信号Ｖｉｄの振幅中心であり、電圧Ｖｂ（＋）、Ｖｂ（−）の中間の電圧である。なお、本実施形態においては、特に説明のない限り、接地電位Ｇｎｄを電圧の基準としている。画像データＶｄで指定される階調値の十進値が「０」のときに最低階調の黒色を指定し、以後当該十進値が大きくなるにつれて明るい階調を指定する場合、本実施形態はノーマリーホワイトモードであるから、データ信号Ｖｉｄの電圧は、正極性に変換する場合であれば、階調値が大きくなるにつれて電圧Ｖｂ（＋）から低位側に振られた電圧となり、負極性に変換する場合であれば、電圧Ｖｂ（−）から高位側に振られた電圧となる。
【００５０】
第１フィールドでは、ｉ行目よりも先に（ｉ＋２４０）行目の走査線が選択されるので、走査信号Ｇ（ｉ＋２４０）がＨレベルになる期間のうち、例えばサンプリング信号Ｓ１がＨレベルになる期間に、データ信号Ｖｉｄは、ｉ行１列の画素の階調に応じた負極性電圧となり、以降、サンプリング信号の変化に合わせて、２、３、４、・・・、６４０列目の画素の階調に応じた負極性電圧に変化する。続いて選択されるｉ行目では、正極性書込が指定されるので、走査信号ＧｉがＨレベルになる期間のうち、例えばサンプリング信号Ｓ１がＨレベルになる期間に、データ信号Ｖｉｄは、ｉ行１列の画素の階調に応じた正極性電圧となり、以降、サンプリング信号の変化に合わせて、２、３、４、・・・、６４０列の画素の階調に応じた正極性電圧に変化する。
なお、第２フィールドでは、ｉ行目よりも後に（ｉ＋２４０）行目の走査線が選択されるので、走査信号Ｇｉが先にＨレベルになり、書込極性が反転するので、データ信号Ｖｉｄの電圧波形は図６に示される通りとなる。
【００５１】
次に図７は、スタートパルスＤｙｂがタイミングＴで供給される場合において、各行の書込状態を連続するフレームにわたった時間経過とともに示す図である。この図に示されるように、本実施形態では、第１フィールドにおいて２４１、２４２、２４３、・・・、４８０行目の画素では負極性の書き込みがなされ、１、２、３、・・・、２４０行目の画素では正極性の書き込みがなされて、次の書き込みまで保持される。一方、第２フィールドにおいて１、２、３、・・・、２４０行目の画素では負極性の書き込みがなされ、２４１、２４２、２４３、・・・、４８０行目の画素では正極性の書き込みがなされて、同様に次の書き込みまで保持される。
レジスターの値が「０」であり、スタートパルスＤｙｂがタイミングＴで供給される場合、第１および第２フィールドの期間は、クロック信号Ｃｌｙの２４０周期分であるから、有効表示期間Ｈａで各画素において液晶容量１２０に正極性電圧が保持される期間と負極性電圧が保持される期間とは半分ずつとなる。
【００５２】
次に、レジスターに格納されている値が０以外の値である場合について説明する。例えば、レジスターに格納された値が「−１」である場合、走査制御回路５２は、図８に示したように、スタートパルスＤｙｂを、タイミングＴよりもクロック信号Ｃｌｙの１周期分だけ早いタイミングＴ（−１）に変更して出力する。すると、第１フィールドの期間はクロック信号Ｃｌｙの２３９周期分となるのに対し、第２フィールドの期間はクロック信号Ｃｌｙの２４１周期分となる。これにより、図９に示されるように、スタートパルスＤｙｂの供給を契機とする選択により有効表示期間Ｈａにおいて書き込まれる負極性電圧の保持期間は、スタートパルスＤｙａの供給を契機とする選択により有効表示期間Ｈａにおいて書き込まれる正極性電圧の保持期間よりも長くなる。したがって、画素においては、負極性電圧で保持された実効電圧が高められ、正極性電圧で保持された実効電圧が低められる。
【００５３】
負極性電圧で保持された実効電圧が正極性電圧で保持された実効電圧より高くなると、画素は、負極性電圧を保持した時に明るくなり、正極性電圧を保持した時の暗くなる方向に変化する。なお、レジスターに格納した値が「−２」であれば、走査制御回路５２は、スタートパルスＤｙｂを、タイミングＴよりもクロック信号Ｃｌｙの２周期分だけ早いタイミングに変更して出力する。すると、画素は、レジスターに格納した値が「−１」の場合より、負極性電圧で保持された実効電圧がさらに高められ、正極性電圧で保持された実効電圧がさらに低められる。
【００５４】
一方、レジスターに格納した値が「＋１」である場合、走査制御回路５２は、図１０に示したように、スタートパルスＤｙｂを、タイミングＴよりもクロック信号Ｃｌｙの１周期分だけ遅いタイミングＴ（＋１）に変更して出力する。すると、第１フィールドの期間はクロック信号Ｃｌｙの２４１周期分となるのに対し、第２フィールドの期間はクロック信号Ｃｌｙの２３９周期分となる。これにより、図１１に示されるように、スタートパルスＤｙｂの供給を契機とする選択により有効表示期間Ｈａにおいて書き込まれる負極性電圧の保持期間は、スタートパルスＤｙａの供給を契機とする選択により有効表示期間Ｈａにおいて書き込まれる正極性電圧の保持期間よりも短くなる。したがって、画素においては、正極性電圧で保持された実効電圧が高められ、負極性電圧で保持された実効電圧が低められる。
【００５５】
正極性電圧で保持された実効電圧が負極性電圧で保持された実効電圧より高くなると、画素は、正極性電圧を保持した時に明るくなり、負極性電圧を保持した時に暗くなる方向に変化する。なお、レジスターに格納した値が「＋２」であれば、走査制御回路５２は、スタートパルスＤｙｂを、タイミングＴよりもクロック信号Ｃｌｙの２周期分だけ遅いタイミングに変更して出力する。すると、画素は、レジスターに格納した値が「＋１」の場合より、正極性で保持された実効電圧がさらに高められ、負極性で保持された実効電圧がさらに低められる。
このように、走査制御回路５２においてレジスターの値を変更することにより、正極性で保持された実効電圧と、負極性で保持された実効電圧との比が変更されるため、走査制御回路５２は、正極性で保持された実行電圧と、負極性で保持された実効電圧との比を変更する実効電圧変更回路として機能している。
【００５６】
ところで、対向電極１０８に印加される電圧ＬＣｃｏｍは、図５に示されるように、工場出荷時において、基準電圧Ｖｃよりも低位側に設定される。これは、画素電極をＴＦＴで駆動するアクティブマトリクス型の電気光学装置では、いわゆるブッシュダウンが発生することや、液晶容量のリークが正極性の電圧を保持する場合と負極性の電圧を保持する場合とで異なることなどによる。
仮に電圧ＬＣｃｏｍを基準電圧Ｖｃと一致させた場合、負極性書込による液晶容量１２０の実効電圧が、正極性書込による実効電圧よりも若干大きくなってしまう（ＴＦＴ１１６がｎチャネルの場合）ので、この差が相殺されるような最適値に、電圧ＬＣｃｏｍを基準電圧Ｖｃよりも低位側にオフセットして設定しているのである。
【００５７】
本実施形態において、スタートパルスＤｙｂがタイミングＴで供給される場合、第１および第２フィールドの期間は互いに等しく、各画素において有効表示期間Ｈａで液晶容量１２０に書き込まれた正極性電圧の保持期間と負極性電圧の保持期間とは同じとなるので、液晶容量１２０には直流成分が印加されないはずである。しかしながら、経年変化などによりＴＦＴのプッシュダウン量や、液晶容量におけるリーク量が工場出荷時から変化したとき、電圧ＬＣｃｏｍは、もはや最適値ではなくなり、液晶容量１２０に直流成分が印加される。すると、正極性電圧を保持している期間と負極性電圧を保持している期間とで画素１１０の明るさに差が生じることになる。
また、表示パネル１００は、個々に特性が異なり、一定時間が経過すると、正極性電圧を保持している期間と負極性電圧を保持している期間とで画素１１０の明るさの差を抑えるために電圧ＬＣｃｏｍを増やす必要がある特性のパネルと、画素１１０の明るさの差を抑えるために電圧ＬＣｃｏｍを減らす必要がある特性のパネルとがある。この場合、レジスターの値を０にしても、画素１１０においては明るさの差が発生することになる。
【００５８】
ここで図１２は、表示パネル１００の特性を説明するための図である。この図において横軸はレジスターの値を表し、レジスターの値が正の場合には正極性電圧の保持期間が長く、レジスターの値が負の場合には負極性電圧の保持期間が長いことを示している。また、縦軸は、一定時間経過した後に、対向電極１０８の電圧をどれだけ電圧ＬＣｃｏｍから変更すると信号Ｓｂの波高（信号Ｓｂが表す電圧の最大値と最小値の差）が最小になるかを表している。図１２の（１）の特性のパネルは、レジスターの値が０の時において時間が経過すると液晶容量１２０に直流成分が印加され、信号Ｓｂの波高を最小にするためには対向電極１０８へ印加する電圧を増やす必要が生じる特性のパネルである。図１２の（２）の特性のパネルは、レジスターの値が０の時において時間が経過すると液晶容量１２０に直流成分が印加され、信号Ｓｂの波高を最小にするためには対向電極１０８に印加する電圧を減らす必要が生じる特性のパネルである。
なお、スタートパルスＤｙｂの出力タイミングを指定するための設定値である上述した第２設定値は、図１２に示した第２設定値であり、（１）と（２）のパネルの両方について、一定時間経過後に信号Ｓｂの波高を最小にするには、電圧ＬＣｃｏｍを減らす必要が生じる値である。また、スタートパルスＤｙｂの出力タイミングを指定するための設定値である上述した第１設定値は、図１２に示した第１設定値であり、（１）と（２）のパネルの両方について、一定時間経過後に信号Ｓｂの波高を最小にするには、電圧ＬＣＣｏｍを増やす必要が生じる値である。
【００５９】
また、図１３（ａ）〜（ｃ）は、対向電極１０８の電圧を電圧ＬＣｃｏｍにした時の信号Ｓｂの波高を説明するための図である。図１３（ａ）〜（ｃ）において横軸は対向電極１０８の電圧を表し、縦軸は信号Ｓｂの波高を表している。
図１３（ｂ）は、例えば出荷時に有効表示期間Ｈａにおける正極性の保持時間と負極性の保持時間を同じとし、信号Ｓｂの波高が最小となるように対向電極１０８の電圧を電圧ＬＣｃｏｍに調整した状態を示した図である。この状態では、信号Ｓｂの波高が最小となっている。しかし、経年変化によって液晶容量１２０に直流成分が印加されると、信号Ｓｂの波高が大きくなり、信号Ｓｂの波高を最小にするには、対向電極１０８の電圧を変更する必要が生じる。
【００６０】
例えば、表示パネル１００が図１２の（１）の特性のパネルの場合、時間が経過して液晶容量１２０に直流成分が印加されると、信号Ｓｂの波高が最小となる最適な対向電極１０８の電圧は、電圧ＬＣｃｏｍより大きな電圧となり、図１３（ｃ）に示したように、対向電極１０８の電圧が電圧ＬＣｃｏｍの状態では信号Ｓｂの波高が大きくなる。
【００６１】
また、表示パネル１００が図１２の（２）の特性のパネルの場合、時間が経過して液晶容量１２０に直流成分が印加されると、信号Ｓｂの波高が最小となる最適な対向電極１０８の電圧は、電圧ＬＣｃｏｍより小さな電圧となり、図１３（ａ）に示したように、対向電極１０８の電圧が電圧ＬＣｃｏｍの状態では信号Ｓｂの波高が大きくなる。
【００６２】
表示パネル１００を駆動した場合、図１３（ｂ）の状態のままであれば焼き付きは発生しない。しかし、表示パネル１００の特性には、ばらつきがあり、駆動を続けると図１３（ａ）または図１３（ｃ）の状態となり、図１３（ａ）または図１３（ｃ）の状態のままであると焼き付きが発生する。対向電極１０８の電圧を変更せずに焼き付きが発生しないようにするためには、信号Ｓｂの波高が小さくなるように、即ち、正極性電圧の印加時と負極性電圧の印加時とで実効電圧の差が小さくなるようにすればよい。そこで本実施形態では、信号Ｓｂの波高が予め定められた範囲内に収まるように表示パネル１００が駆動される。以下、この動作について説明する。
【００６３】
図１５は、走査制御回路５２が行う処理の流れを示したフローチャートである。まず走査制御回路５２は、表示パネル１００の駆動を開始するとスタートパルスＤｙｂの出力タイミングを指定するためにレジスターの値を「０」にする（ステップＳＡ１）。走査制御回路５２は、外部上位装置から垂直同期信号Ｖs、水平同期信号Ｈｓ及びクロック信号Ｃｌｋが走査制御回路５２に供給され、画像データＶｄがデータ信号生成回路５４に供給されると、供給された各信号に基づいて表示パネル１００を駆動する。
走査制御回路５２は、表示パネル１００を駆動する際に、選択信号ＳｅｌによってスイッチＳＷ１を制御し、第１プリチャージ信号生成回路６１とスイッチＳＷ２を接続する。これにより、プリチャージのための信号として第１プリチャージ信号が選択され（ステップＳＡ２）、表示パネル１００の駆動の際に画素１１０に印加されるプリチャージの電圧は、電圧Ｖｐ１１または電圧Ｖｐ１２となる。また、走査制御回路５２は、レジスターに格納されている値が「０」であるため、スタートパルスＤｙｂをタイミングＴで出力する。
【００６４】
次に走査制御回路５２は、予め定められた一定時間が経過したか否か判断する（ステップＳＡ３）。走査制御回路５２は、一定時間が経過していない場合（ステップＳＡ３でＮＯ）、一定時間が経過するのを待つ。ここで、表示パネル１００が、レジスターの値を０にした場合に正極性電圧で保持された実効電圧が低くなり、負極性電圧で保持された実効電圧が高くなる表示パネル、つまり、図１２の（２）の特性の表示パネルである場合、時間の経過が経過すると信号Ｓｂの波高が増大し、図１４（ａ）の実線の状態になる。
【００６５】
走査制御回路５２は、一定時間が経過したと判断すると（ステップＳＡ３でＹＥＳ）、選択信号ＳｅｌによってスイッチＳＷ１を制御し、第２プリチャージ信号生成回路６２とスイッチＳＷ２を接続する。これにより、プリチャージのための信号として第２プリチャージ信号が選択され（ステップＳＡ４）、表示パネル１００の駆動の際に画素１１０に印加されるプリチャージの電圧は、電圧Ｖｐ２１または電圧Ｖｐ２２となる。
【００６６】
プリチャージの電圧を変更すると、信号Ｓｂの波高を最小にするために必要な電圧ＬＣｃｏｍの変化量が変化する。ここで、プリチャージの電圧を変更する前の表示パネル１００の状態が、図１４（ａ）において実線で示した状態、即ち、信号Ｓｂの波高が予め定められた上限値であり、信号Ｓｂの波高を最小にするには対向電極１０８の電圧を下げる必要がある場合、プリチャージの電圧を電圧Ｖｐ１１，Ｖｐ１２から電圧Ｖｐ２１，Ｖｐ２２にすると、信号Ｓｂの波高が大きくなる。具体的には、図１４（ａ）において実線で示した状態から点線で示した状態に変化し、信号Ｓｂの波高が予め定められた第１閾値となる。
【００６７】
走査制御回路５２は、ステップＳＡ４を終了した後、信号Ｓｂの波高を測定する測定期間となり、信号Ｓｂをデジタル化した信号をＡ／Ｄ変換回路５６から取得して信号Ｓｂの波高を測定する（ステップＳＡ５）。走査制御回路５２は、ステップＳＡ５が終了すると、測定期間を終了し、選択信号ＳｅｌによってスイッチＳＷ１を制御し、第１プリチャージ信号生成回路６１とスイッチＳＷ２を接続する。これにより、プリチャージのための信号として第１プリチャージ信号が選択され（ステップＳＡ６）、表示パネル１００の駆動の際に画素１１０に印加されるプリチャージの電圧は、電圧Ｖｐ１１または電圧Ｖｐ１２となる。
【００６８】
次に走査制御回路５２は、ステップＳＡ５における測定結果に応じて前述のレジスターの値を設定する。具体的には、信号Ｓｂの波高が予め定められた第１閾値以上である場合（ステップＳＡ７でＹＥＳ）、レジスターの値を第１設定値にする（ステップＳＡ８）。レジスターに第１設定値が格納されると、正極性電圧の印加時間が短くなり、負極性電圧の印加時間が長くなる。これにより、画素１１０においては、負極性電圧で保持された実効電圧が高くなり、正極性電圧で保持された実効電圧が低くなるため、図１３（ａ）の状態から図１３（ｂ）の状態へ変化していくこととなり、信号Ｓｂの波高が減少していく。
【００６９】
走査制御回路５２は、ステップＳＡ８の処理が終了すると処理の流れをステップＳＡ３へ戻し、ステップＳＡ３でＹＥＳと判断すると、ステップＳＡ４でプリチャージの電圧を変更する。ここで、プリチャージの電圧を変更する前の表示パネル１００の状態が、図１４（ｂ）において実線で示した状態、即ち、信号Ｓｂの波高が最小値である場合、プリチャージの電圧を電圧Ｖｐ１１，Ｖｐ１２から電圧Ｖｐ２１，Ｖｐ２２にすると、信号Ｓｂの波高が大きくなる。具体的には、図１４（ｂ）において実線で示した状態から点線で示した状態に変化し、信号Ｓｂの波高は、第１閾値と予め定められた第２閾値との間の値となる。なお、第１閾値と第２閾値の関係は、第１閾値＞第２閾値となっている。
【００７０】
この後、走査制御回路５２は、ステップＳＡ５で信号Ｓｂの波高を測定し、ステップＳＡ６でプリチャージの電圧を変更する。次に走査制御回路５２は、ステップＳＡ５における測定結果に応じて前述のレジスターの値を設定する。ここで、前述のとおり信号Ｓｂの波高が第１閾値と第２閾値との間の値であると（ステップＳＡ７でＮＯ、ステップＳＡ９でＮＯ）、走査制御回路５２は、レジスターの値を変更せずに処理の流れをステップＳＡ３へ戻す。なお、ここでレジスターの値が第１設定値のままであると、図１３（ｂ）の状態から図１３（ｃ）の状態へ変化していくこととなり、時間の経過と共に信号Ｓｂの波高が増大していく。
【００７１】
走査制御回路５２は、処理の流れをステップＳＡ３へ戻し、ステップＳＡ３でＹＥＳと判断すると、ステップＳＡ４でプリチャージの電圧を変更する。ここで、プリチャージの電圧を変更する前の表示パネル１００の状態が、図１４（ｃ）において実線で示した状態、即ち、信号Ｓｂの波高が予め定められた上限値である場合、プリチャージの電圧を電圧Ｖｐ１１，Ｖｐ１２から電圧Ｖｐ２１，Ｖｐ２２にすると、信号Ｓｂの波高が大きくなる。具体的には、図１４（ｃ）において実線で示した状態から図１４（ｃ）において点線で示した状態に変化し、信号Ｓｂの波高は第２閾値となる。
【００７２】
この後、走査制御回路５２は、ステップＳＡ５で信号Ｓｂの波高を測定し、ステップＳＡ６でプリチャージの電圧を変更する。次に走査制御回路５２は、ステップＳＡ５における測定結果に応じて前述のレジスターの値を設定する。ここで、信号Ｓｂの波高が第２閾値以下の値であると（ステップＳＡ７でＮＯ、ステップＳＡ９でＹＥＳ）、走査制御回路５２は、レジスターに第２設定値を設定する（ステップＳＡ１０）。レジスターに第２設定値が格納されると、正極性電圧の印加時間が長くなり、負極性電圧の印加時間が短くなる。これにより、画素１１０においては、正極性電圧で保持された実効電圧値が高くなり、負極性電圧で保持された実効電圧が低くなるため、図１３（ｃ）の状態から図１３（ｂ）の状態へ変化していくこととなり、信号Ｓｂの波高が減少していく。走査制御回路５２は、ステップＳＡ１０の処理が終了すると処理の流れをステップＳＡ３へ戻し、上述した処理を繰り返す。
【００７３】
なお、表示パネル１００が、図１２の（１）の特性のパネル、つまり、レジスターの値を０にした場合に負極性電圧で保持された実効電圧が高くなり、正極性電圧で保持された実効電圧が低くなるパネルである場合、レジスターを０にして表示パネル１００を駆動すると、時間の経過に伴って信号Ｓｂの波高が増大し、図１３（ｃ）の状態になる。
ここでプリチャージの電圧を変更すると、図１４（ｃ）において実線で示した状態から点線で示した状態に変化し、信号Ｓｂの波高は第２閾値となる。走査制御回路５２は、信号Ｓｂの波高が第２閾値以下の値であると（ステップＳＡ７でＮＯ、ステップＳＡ９でＹＥＳ）、レジスターに第２設定値を設定する（ステップＳＡ１０）。レジスターに第２設定値が格納されると、正極性電圧の印加時間が長くなり、負極性電圧の印加時間が短くなる。これにより、画素１１０においては、正極性電圧で保持された実効電圧が高くなり、負極性電圧で保持された実効電圧が低くなるため、図１３（ｃ）の状態から図１３（ｂ）の状態へ変化していくこととなり、信号Ｓｂの波高が減少していく。
【００７４】
この後、時間が経過すると、図１３（ｂ）の状態になる。ここでプリチャージの電圧を変更すると、図１４（ｂ）において実線で示した状態から点線で示した状態に変化し、信号Ｓｂの波高は、第１閾値と第２閾値の間の値となる。走査制御回路５２は、信号Ｓｂの波高が第１閾値と第２閾値との間の値であると（ステップＳＡ７でＮＯ、ステップＳＡ９でＮＯ）、レジスターの値を変更せずに処理の流れをステップＳＡ３へ戻す。
【００７５】
そして、さらに時間が経過すると、図１３（ａ）の状態になる。ここでプリチャージの電圧を変更すると、図１４（ａ）において実線で示した状態から点線で示した状態に変化し、信号Ｓｂの波高は第１閾値となる。走査制御回路５２は、信号Ｓｂの波高が予め定められた第１閾値以上である場合（ステップＳＡ７でＹＥＳ）、レジスターに第１設定値を設定する（ステップＳＡ８）。レジスターに第１設定値が格納されると、正極性電圧の印加時間が短くなり、負極性電圧の印加時間が長くなる。これにより、画素１１０においては、負極性電圧で保持された実効電圧が高くなり、正極性電圧で保持された実効電圧が低くなるため、図１３（ａ）の状態から図１３（ｂ）の状態へ変化していくこととなり、信号Ｓｂの波高が減少していく。
【００７６】
本実施形態によれば、液晶容量１２０に直流成分が印加されることにより正極性の電圧を印加した時と負極性の電圧を印加した時とで実効電圧に差が生じても、実効電圧の差が小さくなるように正極性電圧の印加時間と負極性電圧の印加時間が制御されるので、焼き付きの発生を抑えることができる。
【００７７】
また、本実施形態においては、信号Ｓｂの測定期間の前にプリチャージの信号が第２プリチャージ信号Ｐ２に変更される。プリチャージの信号を変更しない場合、信号ＳｂとノイズとのＳＮ比が大きくならず、正極性の電圧を印加した時と負極性の電圧を印加した時とで実効電圧に差が生じているのか判断が難しくなる場合が生じ得る。一方、本実施形態では、測定期間の前にプリチャージの信号を変更することにより、信号Ｓｂの波高が増加するもののノイズは増加しないため、正極性の電圧を印加した時と負極性の電圧を印加した時とで実効電圧に差が生じているのか判断が容易となる。
また、本実施形態においては、第１プリチャージ信号Ｐ１が供給されている状態において、正極性電圧で保持された実効電圧が高い状態と、正極性電圧で保持された実効電圧が低い状態とで信号Ｓｂの波高が同じであっても、測定期間に第２プリチャージ信号Ｐ２が供給されると、正極性電圧で保持された実効電圧が高い状態（図１３の（ａ）の状態）と、正極性電圧で保持された実効電圧が低い状態（図１３の（ｃ）の状態）とで、信号Ｓｂの波高が異なる。このため、プリチャージの電圧を変更することにより、正極性電圧で保持された実効電圧と負極性電圧で保持された実効電圧とでどちらの実効電圧が大きいのか判断するのが容易となり、実効電圧の差が小さくなるように制御するのが容易となる。
【００７８】
［電子機器］
次に、上述した実施形態に係る電気光学装置を用いた電子機器の例について説明する。図１６は、上述した電気光学装置１の表示パネル１００をライトバルブとして用いた３板式プロジェクターの構成を示す平面図である。プロジェクター２１００の内部には、ハロゲンランプ等の白色光源を備えたランプユニット２１０２が設けられている。このプロジェクター２１００において、ランプユニット２１０２から射出された光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００７９】
ここで、ライトバルブ１００Ｒ、１００Ｇおよび１００Ｂの構成は、上述した実施形態における表示パネル１００と同様であり、外部上位装置（図示省略）から供給されるＲ、Ｇ、Ｂの各色に対応する画像データＶｄでそれぞれ駆動されるものである。ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、レンズユニット２１１４によって正転拡大投影されるので、スクリーン２１２０には、カラー画像が表示されることとなる。
【００８０】
なお、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂにより形成される画像と、ライトバルブ１００Ｇにより形成される画像とは左右反転の関係にある。
【００８１】
また、光センサー７１Ｒ、７１Ｇおよび７１Ｂの構成は、上述した実施形態における光センサー７１と同様である。なお、光センサー７１Ｒは、Ｒの光に感度があるセンサーである。また、光センサー７１Ｇは、Ｇの光に感度があるセンサーであり、光センサー７１Ｂは、Ｂの光に感度があるセンサーである。光センサー７１Ｒ、７１Ｇおよび７１Ｂは、ダイクロイックプリズム２１１２に配置されており、光センサー７１Ｒは、ダイクロイックプリズム２１１２からのＲの漏れ光を検出する。また、光センサー７１Ｇは、ダイクロイックプリズム２１１２からのＧの漏れ光を検出し、光センサー７１Ｂは、ダイクロイックプリズム２１１２からのＢの漏れ光を検出する。
光センサー７１Ｒから出力される信号Ｓａは、ライトバルブ１００Ｒを具備した電気光学装置１が備えるコンデンサー７２とＡ／Ｄ変換回路５６へ供給される。また、光センサー７１Ｇから出力される信号Ｓａは、ライトバルブ１００Ｇを具備した電気光学装置１が備えるコンデンサー７２とＡ／Ｄ変換回路５６へ供給され、光センサー７１Ｂから出力される信号Ｓａは、ライトバルブ１００Ｂを具備した電気光学装置１が備えるコンデンサー７２とＡ／Ｄ変換回路５６へ供給される。
【００８２】
また、電子機器としては、図１６を参照して説明した他にも、リアプロジェクション型のテレビジョンや、直視型、例えば携帯電話や、パーソナルコンピュータ、ビデオカメラのモニタ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【００８３】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００８４】
（変形例１）
上述した実施形態では、液晶容量１２０において保持される電圧の実効値がゼロ（またはゼロ近傍）に近ければ、白色を表示するノーマリーホワイトモードとしたが、液晶容量１２０において保持される電圧の実効値がゼロ（またはゼロ近傍）に近ければ黒色を表示するノーマリーブラックモードとしても良い。
【００８５】
（変形例２）
上述した実施形態においては、有効表示期間Ｈａにおいて書き込まれる正極性電圧の保持時間と負極性電圧の保持時間との比を変更することにより、正極性電圧で保持された実効電圧と正極性電圧で保持された実効電圧との比を変更し、信号Ｓｂの波高が一定の範囲内に収まるようにしているが、信号Ｓｂの波高を一定の範囲内に収める方法は、上述した実施形態の方法に限定されるものではない。
例えば、走査制御回路５２は、表示パネル１００の駆動を開始すると、階調が同じであれば正極性のデータ信号Ｖｉｄと負極性のデータ信号Ｖｉｄを基準電圧Ｖｃを中心に対象の関係にする。また、走査制御回路５２は、ステップＳＡ８においては、正極性電圧の印加時間と負極性電圧の印加時間を変更する処理に替えて、正極性電圧と負極性電圧の電圧比を変更する。具体的には、走査制御回路５２は、階調値が同じであれば、基準電圧Ｖｃからのデータ信号Ｖｉｄの振幅を正極性側を小さく、負極性側を大きくする。また、走査制御回路５２は、ステップＳＡ１０においては、例えば階調値が同じであれば、基準電圧Ｖｃからのデータ信号Ｖｉｄの振幅を、正極性側を大きく、負極性側を小さくする。
この変形例においても、正極性電圧の実効電圧と負極性電圧の実効電圧との比を変更することができる。
【００８６】
（変形例３）
上述した実施形態においては、信号Ｓｂの測定の前に画像信号線１４８に供給するプリチャージの信号を第１プリチャージ信号Ｐ１から第２プリチャージ信号Ｐ２に変更すると、信号Ｓｂの波高が大きくなるが、信号Ｓｂの波高を大きくするのであれば信号Ｓｂの測定前に画像信号線１４８に供給するプリチャージの信号は前述の第２プリチャージ信号Ｐ２に限定されるものではない。
例えば、画像信号線１４８に供給する信号を前述の第１プリチャージ信号Ｐ１から前述の第２プリチャージ信号Ｐ２に切り替えると、信号Ｓｂの波高を最小にするためには対向電極１０８の電圧を下げる必要が生じるが、信号Ｓｂの測定前に画像信号線１４８に供給するプリチャージの信号は、信号Ｓｂの波高を最小にするために対向電極１０８の電圧を上げる必要が生じる信号であってもよい。なお、この変形例においては、ステップＳＡ８ではレジスターの値を第２設定値に設定し、ステップＳＡ１０ではレジスターの値を第１設定値に設定する。
【００８７】
（変形例４）
上述した実施形態においては、第１設定値と第２設定値は固定となっているが、第１設定値と第２設定値は固定値に限定されるものではない。例えば、駆動開始時においては第１設定値と第２設定値の絶対値を大きな値する。そして、第１設定値に１を加算する処理をステップＳＡ８の後に追加し、第２設定値から１を減算する処理をステップＳＡ１０の後に追加するようにしてもよい。
この変形例によれば、信号Ｓｂの波高が第１閾値以上となると、レジスターに第１設定値が設定されて負極性電圧の印加時間が正極性電圧の印加時間より長くなる。また、信号Ｓｂの波高が第１閾値以上となる毎に第１設定値が０に近づく。即ち、信号Ｓｂの波高が第１閾値以上となる毎に、正極性電圧の印加時間と負極性電圧の印加時間との差を小さくする。
また、信号Ｓｂの波高が第２閾値以下となると、レジスターに第２設定値が設定されて正極性電圧の印加時間が負極性電圧の印加時間より長くなる。また、信号Ｓｂの波高が第２閾値以下となる毎に、第２設定値が０に近づく。即ち、信号Ｓｂの波高が第２閾値以下となる毎に、正極性電圧の印加時間と負極性電圧の印加時間との差を小さくする。
これにより、図１２において横軸をＸ軸、縦軸をＹ軸とした場合、レジスターの値を図１２のグラフのＸ切片の値に近づけることができ、信号Ｓｂの波高を抑えることができる。
【００８８】
（変形例５）
上述した実施形態においては、信号Ｓｂの波高を測定しているが、信号Ｓｂの振幅を測定してもよい。なお、信号Ｓｂの振幅を測定する構成の場合、第１閾値と第２閾値は上述した実施形態の値より小さな値となる。
【００８９】
（変形例６）
また、本発明においては、信号Ｓｂの波高に替えてフリッカー量を測定するようにしてもよい。なお、フリッカー量は、フリッカー量＝２０ｌｏｇ（信号Ｓｂの波高値／信号Ｓｂの最大値と最小値の平均値）である。
この変形例の場合、走査制御回路５２は、ステップＳＡ７においては、フリッカー量が予め定められた第１のフリッカー量以上であるか判断し、フリッカー量が予め定められた第１のフリッカー量以上であれば、レジスターの値を第１設定値に設定する。なお、第１のフリッカー量は、図１４（ａ）の点線の状態の時のフリッカー量である。
また、走査制御回路５２は、ステップＳＡ９においては、フリッカー量が予め定められた第２のフリッカー量以下であるか判断し、フリッカー量が予め定められた第２のフリッカー量以下であれば、レジスターの値を第２設定値に設定する。なお、第２のフリッカー量は、図１４（ｃ）の点線の状態の時のフリッカー量である。
【００９０】
（変形例７）
上述した実施形態においては、ステップＳＡ４でスイッチＳＷ１の接続を切り替えて第２プリチャージ信号Ｐ２を全ての画素１１０に供給しているが、この構成に限定されるものではない。走査制御回路５２は、ステップＳＡ５で信号Ｓｂの波高を測定する前に、特定の行の画素１１０についてのみ第２プリチャージ信号Ｐ２を供給するようにしてもよい。
例えば、信号Ｓｂの波高の測定に影響が大きい画素が１行目から２４０行目までの画素１１０である場合、走査制御回路５２は、ステップＳＡ５の処理の前に１行目から２４０行目までの画素１１０については第２プリチャージ信号Ｐ２を供給し、２４１行目から４８０行目の画素１１０については第１プリチャージ信号Ｐ１を供給するようにしてもよい。
【符号の説明】
【００９１】
１…電気光学装置、５０…制御回路、５２…走査制御回路、５４…データ信号生成回路、５６…Ａ／Ｄ変換回路、６０…プリチャージ回路、６１…第１プリチャージ信号生成回路、６２…第１プリチャージ信号生成回路、７０…検出回路、７１…光センサー、７２…コンデンサー、１００…表示パネル、１００ａ…表示領域、１０５…液晶、１０８…対向電極、１１０…画素、１１２…走査線、１１４…データ線、１１６…ＴＦＴ、１１８…画素電極、１２０…液晶容量、１３０…走査線駆動回路、１４０…データ線駆動回路、１４２…サンプリング信号出力回路、１４４…ＯＲ回路、１４６…ＴＦＴ、１４８…画像信号線、２１００…プロジェクター、２１０２…ランプユニット、２１０６…ミラー、２１０８…ダイクロイックミラー、２１１２…ダイクロイックプリズム、２１１４…レンズユニット、２１２０…スクリーン、２１２１…リレーレンズ系、２１２２…入射レンズ、２１２３…リレーレンズ、２１２４…出射レンズ、Ｐ１…第１プリチャージ信号、Ｐ２…第２プリチャージ信号、ＳＷ１…スイッチ、ＳＷ２…スイッチ、Ｄｘ…スタートパルス、Ｃｌｘ…クロック信号、Ｄｙ，Ｄｙａ，Ｄｙｂ…スタートパルス、Ｃｌｙ…クロック信号、Ｎｒｇ…プリチャージ期間指定信号、Ｐｏｌ…極性指定信号、Ｓｅｌ…選択信号、Ｖｄ…画像データ、Ｖｄａ…データ信号、Ｖｉｄ…データ信号
【図１】
2013064823.tif 000003
【図２】
2013064823.tif 000004
【図３】
2013064823.tif 000005
【図４】
2013064823.tif 000006
【図５】
2013064823.tif 000007
【図６】
2013064823.tif 000008
【図７】
2013064823.tif 000009
【図８】
2013064823.tif 000010
【図９】
2013064823.tif 000011
【図１０】
2013064823.tif 000012
【図１１】
2013064823.tif 000013
【図１２】
2013064823.tif 000014
【図１３】
2013064823.tif 000015
【図１４】
2013064823.tif 000016
【図１５】
2013064823.tif 000017
【図１６】
2013064823.tif 000018